(57)【要約】【解決手段】軽量な器具や食器が飛んだりするようなことを抑制できる洗浄機を提供する。【効果】洗浄乾燥室２０と、この洗浄乾燥室２０を開閉するためのドア２と、前記洗浄乾燥室２０内にて器具を保持するラックＵＲ、ＤＲと、前記器具に対して洗浄水を噴射するためのノズル２８，３１と、このノズル２８、３１から洗浄水を噴射させるべくノズルへ洗浄水を送るポンプ５３と、前記ノズル２８、３１から噴射する洗浄水の水圧を手動設定するための水圧キー５０とを備える。【選択図】          図２
2004181375.tif 000002
【特許請求の範囲】
【請求項１】
洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、前記ノズルから噴射する洗浄水の水圧を手動設定するための水圧手動設定部とを備えたことを特徴とする洗浄機。
【請求項２】
洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、洗浄運転中に、前記ノズルから噴射する洗浄水の水圧を手動設定するための水圧手動設定部とを備えたことを特徴とする洗浄機。
【請求項３】
洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、洗浄運転中に、前記ノズルから噴射する洗浄水の水圧を手動設定するための水圧手動設定部と、この水圧手動設定部にて手動設定された手動設定水圧を報知する報知部と、この報知部による手動設定水圧の報知から遅延して、洗浄水の水圧が手動設定水圧になるように前記ポンプを制御する制御部とを備え、この制御部は、洗浄水の水圧が手動設定水圧になる前に前記水圧手動設定部にて手動設定水圧が変更された場合、洗浄水の水圧を、変更前の手動設定水圧に代えて変更された手動設定水圧に遅延して至らしめるように前記ポンプを制御することを特徴とする洗浄機。
【請求項４】
乾燥室と、この乾燥室内に設けられ、口の小さい被乾燥物を口が下向きになるように当該被乾燥物の口部を保持する専用保持部を有するラックと、前記乾燥室内に乾燥風を供給する乾燥風ファンとを備えた乾燥機であって、前記専用保持部は、前記乾燥室内に供給された乾燥風を前記専用保持部で保持された被乾燥物内に滑らかに導入せしめる略曲面状導入部と、被乾燥物内に導入された乾燥風を滑らかに導出せしめる略曲面状導出部とを有することを特徴とする乾燥機。
【発明の詳細な説明】
【０００１】
【発明の属する技術分野】
本発明は、ビーカー、フラスコ、メスシリンダーなどの器具を洗浄する器具洗浄機／乾燥機や、食器を洗浄する食器洗浄機／乾燥機等の洗浄機／乾燥機に関する。
【０００２】
【従来の技術】
器具洗浄機や食器洗浄機は、一般に、予め決められた洗浄プログラムに基づいて洗浄運転を行う（例えば、特許文献１参照。）。この場合、洗浄水の噴射水圧も予め決められている。
【０００３】
【特許文献１】
特許第３３３８２８４号公報（第３頁、第１図）
【０００４】
【発明が解決しようとする課題】
しかしながら、例えば器具洗浄機においては、被洗浄物である器具が軽量であって、洗浄水の噴射水圧が当該危惧に対して大き過ぎると、軽量器具が飛んだりひっくり返ったりする問題がある。
【０００５】
また、洗浄室内にて器具を単に保持するラックが設けられているが、フラスコやメスシリンダーなどの口の小さい（細い）器具に対しては各器具内に個別に直接洗浄水を噴射できる専用ノズルを備えたジェットラックが別途用意される。しかし、このジェットラックを用いる場合、ノズル数が多く洗浄水噴射総開口面積が大きくなり、個々のノズルの噴射水圧が相対的に小さくなるため、満足な洗浄性能が得られない状況が生じていた。
【０００６】
また、フラスコやメスシリンダーなどの口の小さい（細い）器具や、徳利などの口の小さい（細い）食器を乾燥する乾燥機において、これら器具や食器の内部に乾燥風を効率良く供給することができる乾燥機がない。
【０００７】
本発明は、かかる実情に鑑み考え出されたものであり、軽量な器具や食器が飛んだりするようなことを抑制でき、満足な洗浄性能が得られ、また、口の小さい器具や食器の内部を効率良く乾燥できる、洗浄機／乾燥機を提供しようとするものである。
【０００８】
【課題を解決するための手段及びその効果】
請求項１の発明は、洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、前記ノズルから噴射する洗浄水の水圧を手動設定するための水圧手動設定部とを備えたことを特徴とする。
【０００９】
この構成によれば、水圧手動設定部を有するから、軽量な器具や食器に対しては洗浄水の噴射水圧を小さくでき、軽量な器具や食器が飛んだりするようなことを抑制できる。また、噴射水圧が不所望に小さい場合は、満足な洗浄性能が得られるように噴射水圧を大きくすることができる。
【００１０】
請求項２の発明は、洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、洗浄運転中に、前記ノズルから噴射する洗浄水の水圧を手動設定するための水圧手動設定部とを備えたことを特徴とする。
【００１１】
この構成によれば、洗浄運転中の器具や食器の状況を目視して噴射水圧による器具や食器の動きが激しく飛びそうな状況を確認した場合、水圧手動設定部により噴射水圧を小さくでき、例えば軽量な器具や食器が飛んだりするようなことを抑制できる。また、目視により噴射水圧が不所望に小さいことを確認した場合は、満足な洗浄性能が得られるように噴射水圧を大きくすることができる。
【００１２】
請求項３の発明は、洗浄室と、この洗浄室を開閉するためのドアと、前記洗浄室内にて被洗浄物を保持するラックと、前記被洗浄物に対して洗浄水を噴射するためのノズルと、このノズルから洗浄水を噴射させるべくノズルへ洗浄水を送るポンプと、洗浄運転中に、前記ノズルから噴射する洗浄水の水圧を手動設定するための水圧手動設定部と、この水圧手動設定部にて手動設定された手動設定水圧を報知する報知部と、この報知部による手動設定水圧の報知から遅延して、洗浄水の水圧が手動設定水圧になるように前記ポンプを制御する制御部とを備え、この制御部は、洗浄水の水圧が手動設定水圧になる前に前記水圧手動設定部にて手動設定水圧が変更された場合、洗浄水の水圧を、変更前の手動設定水圧に代えて変更された手動設定水圧に遅延して至らしめるように前記ポンプを制御することを特徴とする。
【００１３】
この構成によれば、洗浄運転中の器具や食器の状況を目視して噴射水圧による器具や食器の動きが激しく飛びそうな状況を確認した場合、水圧手動設定部により噴射水圧を小さくでき、例えば軽量な器具や食器が飛んだりするようなことを抑制できる。また、目視により噴射水圧が不所望に小さいことを確認した場合は、満足な洗浄性能が得られるように噴射水圧を大きくすることができる。
【００１４】
また、洗浄運転中の水圧が低すぎて当該水圧を水圧手動設定部で１ランク上の水圧に設定すべきところ、水圧手動設定部を操作しすぎて間違って例えば３ランク上の水圧に設定した場合、実際の噴射水圧が直ちに当該設定水圧になるようにポンプが駆動制御されると、水圧が高くなりすぎて器具や食器が飛んでしまう恐れがある。
【００１５】
しかし、請求項３の構成では、手動設定水圧の報知から遅延して洗浄水の水圧が手動設定水圧になるように制御している。更に、洗浄水の水圧が前記遅延により手動設定水圧になる前に、間違いに気づき再度水圧手動設定部の操作により所期の水圧となるように手動設定水圧が変更されると、洗浄水の水圧を変更前の手動設定水圧に代えて変更された手動設定水圧に遅延して至らしめるように制御している。
【００１６】
これにより、実際の水圧が間違った手動設定水圧になるのを回避でき、器具や食器が飛んでしまうのを抑制することができる。
【００１７】
請求項４の発明は、乾燥室と、この乾燥室内に設けられ、口の小さい被乾燥物を口が下向きになるように当該被乾燥物の口部を保持する専用保持部を有するラックと、前記乾燥室内に乾燥風を供給する乾燥風ファンとを備えた乾燥機であって、前記専用保持部は、前記乾燥室内に供給された乾燥風を前記専用保持部で保持された被乾燥物内に滑らかに導入せしめる略曲面状導入部と、被乾燥物内に導入された乾燥風を滑らかに導出せしめる略曲面状導出部とを有することを特徴とする。
【００１８】
この構成によれば、フラスコやメスシリンダーなどの口の小さい（細い）器具や、徳利などの口の小さい（細い）食器の内部に乾燥風を効率良く供給することができ、口の小さい器具や食器の内部を効率良く乾燥できる。
【００１９】
【発明の実施の形態】
以下、本発明の一実施例である器具洗浄乾燥機を図面に基づいて説明する。図１は器具洗浄乾燥機の外観を示す。器具洗浄乾燥機はビーカー、フラスコ、メスシリンダーなどの器具（被洗浄乾燥物）を洗浄乾燥するためのものであって、キャビネット１によってその外観形状が形成されている。キャビネット１の前面上部には、ドア２が取り付けられている。ドア２は後述する洗浄乾燥室を開閉するためのものである。
【００２０】
ドア２の上部には、ドア２を開放する際に操作するためのラッチ３が備えられている。ラッチ３は、開放していたドア２を閉鎖する際には、止め具として機能する。また、ラッチ３は、ドア２の開閉を検知するドアスイッチとしても機能する。ドア２の中央部左側には、表示パネル４が備えられている。表示パネル４の右側には、操作パネル５が備えられている。ドア２の下部には、器具洗浄乾燥機の内部の様子を観察することができる透明なガラス窓６が備えられている。
【００２１】
図２は、ドア２及び右側面の一部を切欠いた状態の器具洗浄乾燥機の概略を示す。この実施形態の器具洗浄乾燥機の内部には、洗浄乾燥室２０が設けられている。キャビネット１の前面上部には収容口２１が形成されている。収容口２１は、洗浄乾燥室２０内に洗浄乾燥すべき器具を収容するためのものである。ドア２は、収容口２１の下縁部２１ａを支点として、開閉可能に取り付けられている。具体的には、ドア２は、キャビネット１とドア２との間を接続するドア支持部２２によって、キャビネット１に取り付けられている。洗浄乾燥室２０の下方には、貯水槽２３が備えられている。貯水槽２３は、器具を洗浄する際に使用される洗浄水を溜めるためのものである。
【００２２】
上記洗浄乾燥室２０内には、上段ラックＵＲおよび下段ラックＤＲをセットできる。各ラックＵＲ，ＤＲは、洗浄乾燥すべき器具を載置保持するためのものである。各ラックＵＲ，ＤＲは、後述するように、載置された器具に向かって外から洗浄水等を噴射させるため、網状容器として構成されている。器具を上段ラックＵＲまたは下段ラックＤＲに載置する場合、器具は洗浄したい部分が下方に向くように載置する。これは、後述するように、上段ラックＵＲまたは下段ラックＤＲの下方から上方に向かって洗浄水が噴射されるからである。
【００２３】
洗浄室２０の上部左内壁には、上段ラックＵＲを洗浄乾燥室２０にセットするための上段ラック保持部２６ａが取付けられている。また、図示していないが、この上段ラック保持部２６ａに対向する右内壁にも同様の上段ラック保持部が取付けられている。
【００２４】
洗浄乾燥室２０の下部左内壁には、下段ラックＤＲを洗浄乾燥室２０にセットするための下段ラック保持部２７ａが取付けられている。また、図示していないが、この下段ラック保持部２７ａに対向する右内壁にも同様の下段ラック保持部が取付けられている。
【００２５】
ユーザは、器具を洗浄乾燥する際、器具を上段ラックＵＲまたは下段ラックＤＲに載置保持し、当該上段ラックＵＲまたは下段ラックＤＲをそれぞれ上段ラック保持部２６ａ、または下段ラック保持部２７ａにセットする。
【００２６】
上段ラックＵＲの下部には、上ノズル２８が所定の取付部材で回転自在に取付けられている。上ノズル２８は、主に上段ラックＵＲに載置されている器具に洗浄水を噴射するためのものである。上ノズル２８の上面には、上段噴射口２８ａが複数配列されている。また、上ノズル２８には、上方に向かう給水軸２９が取付けられている。給水軸２９は、上段ラックＵＲを洗浄乾燥室２０にセットする際、洗浄乾燥室２０の上壁に取付けられている供給口３０に当接するようにされている。供給口３０は図示しない供給管に接続されている。供給管には、上記貯水槽２３に溜められた洗浄水が所定の循環ポンプ（後述する）によって供給可能にされている。
【００２７】
この構成によれば、洗浄時、貯水槽２３には、予め定める規定水位まで洗浄水が溜められる。その後、貯水槽２３に溜められている洗浄水が循環ポンプによって供給管に供給される。このとき、上段ラックＵＲが上段ラック保持部２６ａにセットされていると、洗浄水は給水軸２９を介して上ノズル２８に導かれ、上段噴射口２８ａから上方に向かって噴射される。その結果、上段ラックＵＲに載置されている器具に洗浄水が噴射される。これにより、上段ラックＵＲに載置されている器具を洗浄できる。
【００２８】
上ノズル２８は、回転方向Ａに沿って回転するように、上段ラックＵＲに回転自在に取付けられている。この構成によれば、上ノズル２８は、上段噴射口２８ａから洗浄水が噴射されている場合、上ノズル２８に供給される洗浄水の水圧によって、回転方向Ａに沿って回転する。より詳述すると、上ノズル２８の左側先端部分の手前側の側面、および上ノズル２８の右側先端部分の向こう側の側面には、それぞれ、回転用噴射口（図示せず）が形成されている。上ノズル２８に洗浄水が供給されている場合、この洗浄水は回転用噴射口から噴射される。その結果、上ノズル２８に回転方向Ａに沿う回転力が加えられる。これにより、上段ラックＵＲに載置されている器具に洗浄水を万遍なく噴射することができる。
【００２９】
上ノズル２８にはまた、その下面にも噴射口（図示せず）が複数配列されている。この噴射口は、下段ラックＤＲに載置されている器具の主に外側を洗浄するためのものである。
【００３０】
洗浄乾燥室２０の下部には、下ノズル３１が備えられている。下ノズル３１は、下段ラックＤＲに載置されている器具に洗浄水を噴射するためのものである。下ノズル３１の上面には、下段噴射口３１ａが複数配列されている。下ノズル３１から噴射すべき洗浄水は、供給管（図示せず）から供給される。供給管には、上記貯水槽２３に溜められている洗浄水が所定の循環ポンプによって供給可能にされている。
【００３１】
この構成によれば、洗浄時、上述と同様に、貯水槽２３に規定水位まで洗浄水が溜められ、この洗浄水が循環ポンプによって供給管に供給される。その結果、洗浄水は下段噴射口３１ａから上方に向かって噴射される。このとき、下段ラック保持部２７ａに下段ラックＤＲがセットされていれば、当該下段ラックＤＲに載置されている器具に洗浄水を噴射することができる。
【００３２】
下ノズル３１は、回転方向Ｂに沿って回転するように、洗浄乾燥室２０の下方に備えられた貯水槽２７に回転自在に支持されている。この構成において、下ノズル３１は、下段噴射口３１ａから洗浄水が噴射されている場合、下ノズル３１に供給される洗浄水の水圧によって、回転方向Ｂに沿って回転する。より詳述すると、下ノズル３１の左側先端部分の手前側の側面、および下ノズル３１の右側先端部分の向こう側の側面には、それぞれ、回転用噴射口（図示せず）が形成されている。下ノズル３１に洗浄水が供給されている場合、この洗浄水は回転用噴射口から噴射される。その結果、下ノズル３１に回転方向Ｂに沿う回転力が加えられる。このとき、下段ラック保持部２７ａに下段ラックＤＲがセットされていれば、当該下段ラックＤＲに載置されている器具に洗浄水を万遍なく噴射することができる。
【００３３】
前記操作パネル５には、図３に示すように、予め設定されている各種洗浄乾燥運転プログラムの番号を設定するための数字キーや、ノズルの噴射口から噴射される洗浄水の水圧を手動設定するための水圧キー（水圧手動設定部）５０などが設けられている。前記表示パネル４には、図４に示すように、前記水圧キー５０にて手動設定された手動設定水圧を表示する表示部（報知部）５１などが設けられている。水圧キー５０を操作する毎に最低水圧（レベル１）から最高水圧（レベル５）までが順次設定される。最高水圧の設定後に更に水圧キー５０が操作されると、設定される水圧は最低水圧に戻る。この設定に基づいて、表示部５１においては、「１」の表示灯から「５」の表示灯までが順次点灯する。「５」の点灯後に更に水圧キーが操作されると、「１」の表示灯が点灯する。
【００３４】
図５は器具洗浄乾燥機のブロック回路を示す。器具洗浄乾燥機を制御する制御部５２が設けられている。この制御部５２は前記操作パネル５からの情報に基づいて、表示部５１や循環ポンプ５３や乾燥装置５４を制御する。乾燥装置５４は図２には敢えて図示していない。
【００３５】
さて、前記制御部５２による、水圧キー５０に関係する器具洗浄乾燥機の制御を図６及び図７に基づいて説明する。まず、予め設定されている洗浄乾燥運転プログラム（例えば３番）において、ノズルから噴射される洗浄水の水圧を特定の値（例えばレベル５）に設定ないし変更する場合、図６の如く、電源投入後、操作パネル５０にて数字キー３を操作してプログラム３を選択し、そして水圧キー５０を操作してレベル５を選択する。このとき、表示部５１では「５」の表示灯が点灯し、レベル５の水圧設定を確認できる。その後、操作パネル５０にて書込みキーを操作すると、プログラム３の水圧がレベル５に設定ないし変更される。
【００３６】
次に、或る洗浄乾燥運転プログラムによる洗浄運転中に、ガラス窓６から器具の状況を目視して、噴射水圧による器具や食器の動きが激しく飛びそうな状況を確認した場合、または噴射水圧が不所望に小さいことを確認した場合、噴射水圧を所望の水圧に設定変更することができる。これについて、図７に基づいて詳述する。
【００３７】
噴射水圧が目視により大きすぎるまたは小さすぎることを確認した場合、水圧キー５０を１回ないし複数回操作して所望の水圧に設定更新する。具体的には、水圧キー５０の操作毎に（Ｓ１ステップ）、水圧値が更新されて（Ｓ２ステップ）、最終的に所望水圧が設定される。Ｓ２ステップでは、更新と同時に表示部５１にて設定水圧に対する表示灯が直ちに点灯される。
【００３８】
この場合、水圧キー５０の操作が解除される毎に、ポンプ５３が所望の設定噴射水圧を得るための回転数となっているか否かが判断される（Ｓ３ステップ）。水圧設定直後であると、ポンプ５３が所望の水圧を得る回転数になっておらず、ポンプ回転数を所望水圧が得られるように回転数の加減制御を行う（Ｓ４ステップ）。
【００３９】
ここで、例えば、洗浄運転中の水圧が低すぎて当該水圧を水圧キー５０で１ランク上の水圧に設定すべきところ、水圧キーを操作しすぎて間違って例えば３ランク上の水圧に設定した場合、直ぐに水圧キーを操作して所望の水圧に修正設定しても、実際の噴射水圧が直ちに設定水圧になるようにポンプ５３が駆動制御されると、一時的に水圧が高くなりすぎて器具が飛んでしまう恐れがある。
【００４０】
また、洗浄運転中の水圧が高すぎて当該水圧を水圧キー５０で１ランク下の水圧（例えばレベル４をレベル３）に設定するには、水圧キー５０を４回操作して水圧をレベル５→１→２→３と設定しなければならない。この場合も、実際の噴射水圧が直ちに設定水圧になるようにポンプ５３が駆動制御されると、水圧が一時的にレベル５まで高くなりすぎて器具が飛んでしまう恐れがある。
【００４１】
而して、本実施例において、Ｓ４ステップでは、ポンプ５３の回転数が現在の設定水圧を得るように変更されるのは、遅延して（１ランク変更は５秒後に行う）からとなるように指示する。具体的には、ポンプ回転数が２ランク離れた水圧を得るように変更するには、１０秒を要する。
【００４２】
このように遅延することにより、遅延（例えば最小５秒）の間に、表示部５１を確認して水圧キー５０の操作（Ｓ１ステップ）により正しい水圧を設定し直すと（Ｓ２ステップ）、設定し直された水圧になるようにポンプ回転数は遅延して至る（Ｓ４ステップ）。もはや設定し直し前の水圧には行かない。これにより、実際の水圧が間違った手動設定水圧になるのを回避でき、器具が飛んでしまうのを抑制することができる。
【００４３】
図８は器具洗浄乾燥機の特に洗浄後の乾燥について説明するための断面図である。図８には下ノズル３１等は敢えて図示していない。フラスコやメスシリンダーなどの口の小さい（細い）器具に対しては、各器具内に個別に直接洗浄水を噴射できる専用ノズル６０を備えたジェットラック６１が用いられる。洗浄時、循環ポンプ５３の駆動により、洗浄水はジェットラック６１内にも供給され、ノズル６０から器具内に噴射される。乾燥時には、乾燥装置５４の乾燥ファン６３が駆動され、外気乾燥風が洗浄乾燥室２０内に供給され、この乾燥風は、洗浄乾燥室内に供給されると室内下部の乾燥装置５４のヒータ６４にて加熱されて高温乾燥風となり器具を乾燥する。その後乾燥風は外部へ排出される。
【００４４】
各器具は、ジェットラック６１の各ノズル６０の外面に装着されている専用保持部６２に、口が下向きになるように保持される。そして、この専用保持部６２は、図９及び図１０に示すように、４つの略曲面状導入／導出部６５、６５…を有する。この導入／導出部６５、６５・・・において乾燥風が向かってくる側に位置するものは、乾燥風を曲面に沿って器具（被乾燥物）内に滑らかに導入させる。一方、乾燥風向かってくる側に位置するものは、器具内の乾燥風を曲面に沿って器具外へ滑らかに導出させる。
【００４５】
これにより、フラスコやメスシリンダーなどの口の小さい（細い）器具の内部に乾燥風を効率良く供給することができ、口の小さい器具を効率良く乾燥できる。
【００４６】
尚、上記実施例は器具洗浄乾燥機について説明したが、食器洗浄乾燥機であっても良い。
【００４７】
また、今回開示された実施の形態は全ての点で例示であって制限的なものではないと考えられるべきである。本発明の範囲は上記した説明ではなく特許請求の範囲によって示され特許請求の範囲と均等の意味及び範囲内での全ての変更が含まれることが意図される。
【図面の簡単な説明】
【図１】本発明の器具洗浄乾燥機の外観構成を示す斜視図である。
【図２】ドア、および右側面の一部を切欠いた状態の本発明の器具洗浄乾燥機を示す概略斜視図である。
【図３】本発明の器具洗浄乾燥機の操作パネルの正面図である。
【図４】本発明の器具洗浄乾燥機の表示パネルの正面図である。
【図５】本発明の器具洗浄乾燥機のブロック回路図である。
【図６】本発明の器具洗浄乾燥機の制御を示すフローチャートである。
【図７】本発明の器具洗浄乾燥機の制御を示すフローチャートである。
【図８】本発明の器具洗浄乾燥機の断面図である。
【図９】本発明の器具洗浄乾燥機に用いられるジェットラックの、一部を切欠いた要部側面図である。
【図１０】同ジェットラックの要部平面図である。
【符号の説明】
２        ドア
４        表示パネル
５        操作パネル
６        ガラス窓
２０      洗浄乾燥室
２３      貯水槽
ＵＲ  上段ラック
ＤＲ  下段ラック
２８  上ノズル
３１  下ノズル
５０  水圧キー（水圧手動設定部）
５１  表示部（報知部）
５２  制御部
５３  循環ポンプ
５４  乾燥装置
６１  ジェットラック
６２  専用保持部
６３  乾燥ファン
６４  ヒータ
６５  略曲面状導入／導出部
【図１】
2004181375.tif 000003
【図２】
2004181375.tif 000004
【図３】
2004181375.tif 000005
【図４】
2004181375.tif 000006
【図５】
2004181375.tif 000007
【図６】
2004181375.tif 000008
【図７】
2004181375.tif 000009
【図８】
2004181375.tif 000010
【図９】
2004181375.tif 000011
【図１０】
2004181375.tif 000012